(57)【要約】【課題】  カメラ本体に特別な手を加える事無く、撮影時にファインダーを目視しながらカメラ水平面の傾き度合いを確認でき、容易に正確な水平出し撮影が可能な補助装置を提供する。【解決手段】  本補助装置をカメラ本体の「アクセサリーシュー」に装着することによって、補助装置の内部に設ける水準器、１個はカメラの水平軸に平行に、もう１個はカメラの垂直軸に平行に配置し、各々の水準器が示す傾き度合いを、レンズとミラーを組合わせた光学系を通して接眼窓から目視でき、カメラで撮影時横位置では水平配置の水準器、及び縦位置では垂直配置の水準器でカメラの傾き度合いを、ファインダーの被写体を見ながら目視確認することで、カメラの傾きを水平に調整出来る。【選択図】図１
2008058919.tif 000002
【特許請求の範囲】
【請求項１】
水準器を１個はカメラの水平軸に平行に、もう１個はカメラの垂直軸に平行に配置し、各々の水準器が示す傾き度合いを、レンズとミラーあるいはプリズムを組合わせた光学系を通して接眼窓から目視する構造を有し、カメラで撮影時に横位置では水平配置の水準器、及び縦位置では垂直配置の水準器でカメラの傾き度合いを目視確認することを特徴とするカメラ水平出し補助装置。
【請求項２】
前記接眼窓とカメラのファインダーの間隔は、両目で同時にそれぞれを目視可能な長さであることを特徴とする、請求項１のカメラ水平出し補助装置。
【請求項３】
カメラ本体の水平軸と平行状態を保持すると共に、カメラとの着脱手段を有することを特徴とする、請求項１又は請求項２のカメラ水平出し補助装置。
【発明の詳細な説明】
【技術分野】
【０００１】  この発明は、カメラで写真撮影時に撮影者がファインダーを目視しながらカメラの水平状態の判定を正確・容易にするための撮影補助技術に関する。
【背景技術】
【０００２】  従来は、写真撮影時にファインダーの被写体を見ながら撮影者が水平度合いを目測で判定し撮影する方法。【０００３】  あるいは単体の水準器で傾き度合いを判定し、カメラを三脚に取り付けた状態でカメラを水平に維持・固定し撮影していた。（例えば、非特許文献１参照）【０００４】  また、カメラのストロボ取付部に水準器を取付け、カメラ本体の外周囲（例えばカメラケース）に水準器の像をファインダーの近傍まで導き撮影者の目に結像させる光学系を設け水準器の表示を確認できるようにした。（特許文献１参照）【０００５】  また、水準器による傾き検知手段とファインダー内に水準器の表示部を設け、カメラの傾きを修正し正確な水平だしを行いながら撮影が出来る。（特許文献２参照）【０００６】  更に、デジタルカメラに姿勢検出装置を設け、液晶モニタの画面にカメラ自体の水平基準線と同時に水平撮影補助線を表示することによって正確な水平出しを容易に行うことが出来る。（特許文献３参照）
【非特許文献１】日本写真映像用品工業会発行「写真・映像用品総合カタログ２００５」、平成１７年３月、Ｐ．５２、５９、２８７
【特許文献１】特開０８−１７１１３２号公報
【特許文献２】特開１０−３０７３２３号公報
【特許文献３】特開２００２−２７１６５４号公報
【発明の開示】
【発明が解決しようとする課題】
【０００７】  従来のファインダーを見ながら水平度合いを目測で判定する方法では必ずしも正確な水平出しが出来ない。【０００８】  また、単体水準器では、撮影シーンを変える度に確認、維持し直す必要があること、及び手持ち撮影では確認が困難なこと。【０００９】  特開０８−１７１１３２号公報では、横位置撮影では有効であるが縦位置撮影に関する記述がないし、カメラ本体の外周囲に光学系を設ける必要がある。【００１０】  特開１０−３０７３２３号公報及び特開２００２−２７１６５４号公報では、カメラ本体の改造、あるいはカメラ製造時に内蔵する必要があること。【００１１】  本発明では以上の課題を解決するため、カメラ本体に特別な手を加えること無くファインダーを見ながら、横位置・縦位置撮影いずれにおいても、本補助装置を付替えることなく、容易に水平出しを行える単体の補助装置を提供することを目的とする。
【課題を解決するための手段】
【００１２】  前記目的を達成するために請求項１の発明は、水準器を１個はカメラの水平軸に平行に、もう１個はカメラの垂直軸に平行に配置し、各々の水準器が示す傾き度合いを、レンズとミラーあるいはプリズムを組合わせた光学系を通して接眼窓から目視する構造を有しているため、カメラで撮影時に横位置では水平配置の水準器、及び縦位置では垂直配置の水準器でカメラの傾き度合いをファインダーの被写体を見ながら目視確認することが出来る。【００１３】  また、請求項２の発明は、前記接眼窓とカメラのファインダーの間隔が、両目で同時にそれぞれを目視可能な長さであることから、本補助装置の水準器が示す傾き度合いとファインダー内の被写体を同時に目視することが出来る。【００１４】  請求項３の発明は、カメラ本体の水平軸と本補助装置の水平軸の平行状態を保持すると共に、カメラとの着脱手段を有することから、カメラ本体へ容易に装着しカメラの水平面と本補助装置の水準器の平行関係を確保することが出来る。
【発明の効果】
【００１５】  本発明により、カメラ本体に特別な手を加える事無く、撮影者はファインダーの被写体を見ながら同時に水準器の示す傾き度合いを目視できることから、カメラの傾きを容易に修正して、正確な水平出し撮影が手持ちでも、三脚に設置したときでも可能となる。
【発明を実施するための最良の形態】
【００１６】  前記の本発明に係る具体的な実施の形態を、以下に説明する。
【実施例１】
【００１７】  図１は、実施例１の本補助装置の断面図である。図において、本補助装置の接続部９をカメラ本体１１の水平保持手段の一つである「アクセサリーシュー」に装着し、横位置撮影時は水平配置の水準器１が示す傾き度合いをミラー３及び４と接眼レンズ５を用いて焦点を合わせ、接眼窓７からファインダー１０の被写体を見ながら多少上目使いで確認出来るので、カメラを水平に調整可能であり、また縦位置撮影時は垂直配置の水準器２が示す傾き度合いを接眼レンズ６を用いて焦点を合わせ接眼窓８から確認でき、同時にもう一方の目でファインダー１０の被写体を目視することが出来るのでカメラの傾きを調整して水平を保持、正確な水平だし撮影ができる。【００１８】  本補助装置の接眼窓８からファインダー１０の間隔は、縦位置撮影時に両目でそれぞれを目視可能な長さとする。【００１９】  本補助装置の外面は、水準器への採光部分以外を遮光するのが望ましいし、接眼レンズは個人差を解消するための視度調整機能を盛りこむことが好ましい。【００２０】  実施例１は、構造を簡単にし、製造コストを安くするため縦位置撮影時のみ両目で水準器とファインダーを目視することとしたが、縦位置・横位置撮影時の両方を実現したのが実施例２である。
【実施例２】
【００２１】  図９は実施例２の概略斜視図である。縦位置撮影時は実施例１と同様であり、横位置撮影時は水平配置の水準器が示す傾き度合いをミラー３個と接眼レンズを用いて焦点を合わせ、接眼窓１５から確認でき、同時にもう一方の目でファインダー１０の被写体を目視することが出来るので、カメラの傾きを調整して水平を保持、正確な水平だし撮影ができる。【００２２】  また、その他の実施例として、使用頻度・構造の単純さを考えて、横位置撮影のみ、あるいは縦位置撮影のみに対応する構造を持つ形態でも良い。【００２３】  上記実施例２及びその他の実施例においても実施例１と同様、接眼窓からファインダーの間隔は、両目でそれぞれを目視可能な長さであるし、外面は水準器への採光部分以外を遮光するのが望ましく、接眼レンズには視度調整機能を盛りこむことが好ましい。【００２４】  上記実施形態は、一眼レフカメラを例にしたが、本発明は一眼レフカメラに限定されるものではなく、カメラの構造に合わせ本特許請求項１から３の全ての要件を充たせば、カメラ全般に適用可能である。
【産業上の利用可能性】
【００２５】  本発明に係るカメラ水平出し補助装置は、カメラ本体に特別な手を加える事無く、簡易な構成なので工業的に量産し易く、手持ちでも容易に正確な水平出し撮影が可能であり、高い利用価値を有する。
【図面の簡単な説明】
【００２６】
【図１】実施例１の本補助装置断面図Ａ−Ａ’である。
【図２】同上斜視図である。
【図３】同上正面図である。
【図４】同上背面図である。
【図５】同上左側面図である。
【図６】同上右側面図である。
【図７】カメラに装着、横位置撮影時の使用状態略図である。
【図８】カメラに装着、縦位置撮影時の使用状態略図である。
【図９】実施例２の概略斜視図である。
【符号の説明】
【００２７】  １、２    水準器
３、４    ミラー
５、６    接眼レンズ
７、８    接眼窓
９        「アクセサリーシュー」に整合する接続部
１０      カメラのファインダー部
１１      カメラ本体
１２      撮影者の目
１３      実施例１の本補助装置
１４      実施例２の本補助装置
１５      同上の横位置撮影時接眼窓
【図１】
2008058919.tif 000003
【図２】
2008058919.tif 000004
【図３】
2008058919.tif 000005
【図４】
2008058919.tif 000006
【図５】
2008058919.tif 000007
【図６】
2008058919.tif 000008
【図７】
2008058919.tif 000009
【図８】
2008058919.tif 000010
【図９】
2008058919.tif 000011